(57)【要約】【課題】  時刻情報などの提供情報の携帯情報端末装置への保存を容易に行うことが可能な情報提供システムを提供する。【解決手段】  携帯情報端末装置１と、携帯情報端末装置１と通信網２を介して相互に通信可能なサーバ３を備え、サーバ３から携帯情報端末装置１に対して提供情報を提供する情報提供システム１００である。サーバ３は、携帯情報端末装置１から提供情報の検索条件を受けると、該検索条件に応じた複数の提供情報を検索し、該検索した提供情報を携帯情報端末装置１に送信する。提供情報は、携帯情報端末装置１での表示用情報と、各提供情報の表示用情報と対応付けられ携帯情報端末装置１において保存されるまでは非表示で処理される属性情報と、からなる。携帯情報端末装置１は、サーバ３から送信された複数の提供情報とそれぞれ対応する表示用情報のうち、利用者の指示により特定された表示用情報と対応する属性情報を保存する。【選択図】    図４
2008250768.tif 000002
【特許請求の範囲】
【請求項１】
携帯情報端末装置と、該携帯情報端末装置と通信網を介して相互に通信可能なサーバと、を備え、前記サーバから前記携帯情報端末装置に対して提供情報を提供する情報提供システムにおいて、
前記サーバは、前記携帯情報端末装置から前記提供情報の検索条件を受けると、該検索条件に応じた提供情報を検索し、該検索した提供情報を前記携帯情報端末装置に送信し、
前記携帯情報端末装置は、前記サーバから送信された提供情報のうちの少なくとも一部を当該携帯情報端末装置内に保存することを特徴とする情報提供システム。
【請求項２】
前記サーバは、前記携帯情報端末装置から受けた検索条件に応じた複数の提供情報を検索して前記携帯情報端末装置に送信し、
前記携帯情報端末装置は、前記サーバから送信された複数の提供情報のうち、利用者の指示により特定された提供情報を当該携帯情報端末装置内に保存することを特徴とする請求項１に記載の情報提供システム。
【請求項３】
前記提供情報は、前記携帯情報端末装置での表示情報と、各提供情報の表示情報と対応付けられ前記携帯情報端末装置において保存されるまでは非表示で処理される属性情報と、からなり、
前記携帯情報端末装置は、前記サーバから送信された複数の提供情報とそれぞれ対応する表示情報のうち、利用者の指示により特定された表示情報と対応する属性情報を、当該携帯情報端末装置内に保存することを特徴とする請求項２に記載の情報提供システム。
【請求項４】
前記提供情報には時刻情報が含まれ、前記携帯情報端末装置は、前記サーバから送信された提供情報に含まれる時刻情報を当該携帯情報端末装置内に保存することを特徴とする請求項１に記載の情報提供システム。
【請求項５】
前記提供情報には時刻情報が含まれ、前記携帯情報端末装置は、前記サーバから送信された複数の提供情報のうち、利用者の指示により特定された提供情報に含まれる時刻情報を当該携帯情報端末装置内に保存することを特徴とする請求項２に記載の情報提供システム。
【請求項６】
前記属性情報には時刻情報が含まれることを特徴とする請求項３に記載の情報提供システム。
【請求項７】
前記携帯情報端末装置は、前記サーバから送信された提供情報のうちの少なくとも一部をスケジュール管理用データとして保存することを特徴とする請求項１乃至６の何れか一項に記載の情報提供システム。
【請求項８】
前記サーバは、前記携帯情報端末装置から受けた検索条件に応じた複数の提供情報を検索して前記携帯情報端末装置に送信し、
前記携帯情報端末装置は、前記サーバから送信された複数の提供情報のうち、利用者の指示により特定された提供情報を前記サーバに保存させ、
前記サーバは、利用者の指示により保存した提供情報に示される時刻の到来を前記携帯情報端末情報に通知することを特徴とする請求項１に記載の情報提供システム。
【請求項９】
提供情報を提供可能なサーバと通信網を介して相互に通信可能な携帯情報端末装置において、
前記提供情報の検索条件を前記サーバに送信し、
前記検索条件の送信に応じて前記サーバから送信される複数の提供情報を受信し、
前記提供情報は、前記携帯情報端末装置での表示情報と、各提供情報の表示情報と対応付けられ前記携帯情報端末装置において保存されるまでは非表示で処理される属性情報と、からなり、
当該携帯情報端末装置は、前記サーバから送信された複数の提供情報とそれぞれ対応する表示情報のうち、利用者の指示により特定された表示情報と対応する属性情報を、保存することを特徴とする携帯情報端末装置。
【請求項１０】
携帯情報端末装置からの要求に応じて提供情報を提供可能なサーバにおいて、
前記携帯情報端末装置から前記提供情報の検索条件を受けると、該検索条件に応じた提供情報を検索し、該検索した提供情報を前記携帯情報端末装置に送信し、
前記提供情報は、前記携帯情報端末装置での表示情報と、各提供情報の表示情報と対応付けられ前記携帯情報端末装置において保存されるまでは非表示で処理される属性情報と、からなることを特徴とするサーバ。
【請求項１１】
携帯情報端末装置と、該携帯情報端末装置と通信網を介して相互に通信可能なサーバと、を備える情報提供システムにおいて、前記サーバから前記携帯情報端末装置に対して提供情報を提供する方法において、
前記携帯情報端末装置から前記サーバに対して前記提供情報の検索条件を送信する第１の過程と、
前記携帯情報端末装置から前記提供情報の検索条件を受信した前記サーバが、該検索条件に応じた提供情報を検索し、該検索した提供情報を前記携帯情報端末装置に送信する第２の過程と、
前記サーバから前記提供情報を受信した前記携帯情報端末装置が、該受信した提供情報のうちの少なくとも一部を当該携帯情報端末装置内に保存する第３の過程と、
を備えることを特徴とする情報提供方法。
【請求項１２】
コンピュータが実行可能なプログラムにおいて、請求項９に記載の携帯情報端末装置の動作をコンピュータに実行させることを特徴とするプログラム。
【請求項１３】
コンピュータが実行可能なプログラムにおいて、請求項１０に記載のサーバの動作をコンピュータに実行させることを特徴とするプログラム。
【発明の詳細な説明】
【技術分野】
【０００１】
本発明は、情報提供システム、携帯情報端末装置、サーバ、情報提供方法及びプログラムに関する。
【背景技術】
【０００２】
従来、ＷＥＢサーバを用いた提供情報検索システムとして、例えば、時刻情報検索システムが知られている。
【０００３】
携帯情報端末装置が時刻情報を取得するには、該携帯情報端末装置から時刻情報検索システムのＷＥＢサーバに対してアクセスし、時刻情報の検索処理を要求する。時刻情報検索システムでは、その要求に応じて検索処理を実行し、その検索処理によって検索された時刻情報を携帯情報端末装置に送信する。これにより、携帯情報端末装置は時刻情報を取得し、該時刻情報を当該携帯情報端末装置の表示装置に表示する（例えば、特許文献１）。
【０００４】
また、従来、携帯情報端末装置がスケジュール管理機能（スケジューラ）を有することも一般的となっている。
【特許文献１】特開２００４−１３９５８７号公報
【発明の開示】
【発明が解決しようとする課題】
【０００５】
しかし、従来は、時刻情報検索システムから携帯情報端末装置に送信された時刻情報は、携帯情報端末装置側では単に表示されるだけであり、該時刻情報をスケジューラに登録するには、例えば、一旦、利用者が時刻情報を手書きでメモした後で、ＷＥＢサーバとの接続を終了し、その後、利用者が携帯情報端末装置のスケジューラを起動し、メモの記述を頼りに時刻情報の登録操作を行う必要があった。そのため、利便性に問題がある。
【０００６】
本発明は、上記のような問題点を解決するためになされたもので、時刻情報などの提供情報の携帯情報端末装置への保存を容易に行うことが可能な情報提供システム、携帯情報端末装置、サーバ、情報提供方法及びプログラムを提供することを目的とする。
【課題を解決するための手段】
【０００７】
上記課題を解決するため、本発明の情報提供システムは、携帯情報端末装置と、該携帯情報端末装置と通信網を介して相互に通信可能なサーバと、を備え、前記サーバから前記携帯情報端末装置に対して提供情報を提供する情報提供システムにおいて、前記サーバは、前記携帯情報端末装置から前記提供情報の検索条件を受けると、該検索条件に応じた提供情報を検索し、該検索した提供情報を前記携帯情報端末装置に送信し、前記携帯情報端末装置は、前記サーバから送信された提供情報のうちの少なくとも一部を当該携帯情報端末装置内に保存することを特徴としている。
【０００８】
本発明の情報提供システムにおいては、前記サーバは、前記携帯情報端末装置から受けた検索条件に応じた複数の提供情報を検索して前記携帯情報端末装置に送信し、前記携帯情報端末装置は、前記サーバから送信された複数の提供情報のうち、利用者の指示により特定された提供情報を当該携帯情報端末装置内に保存することが好ましい。
【０００９】
本発明の情報提供システムにおいては、前記提供情報は、前記携帯情報端末装置での表示情報と、各提供情報の表示情報と対応付けられ前記携帯情報端末装置において保存されるまでは非表示で処理される属性情報と、からなり、前記携帯情報端末装置は、前記サーバから送信された複数の提供情報とそれぞれ対応する表示情報のうち、利用者の指示により特定された表示情報と対応する属性情報を、当該携帯情報端末装置内に保存することが好ましい。
【００１０】
本発明の情報提供システムにおいては、前記提供情報には時刻情報が含まれ、前記携帯情報端末装置は、前記サーバから送信された提供情報に含まれる時刻情報を当該携帯情報端末装置内に保存することが好ましい。
【００１１】
本発明の情報提供システムにおいては、前記提供情報には時刻情報が含まれ、前記携帯情報端末装置は、前記サーバから送信された複数の提供情報のうち、利用者の指示により特定された提供情報に含まれる時刻情報を当該携帯情報端末装置内に保存することが好ましい。
【００１２】
本発明の情報提供システムにおいては、前記属性情報には時刻情報が含まれることが好ましい。
【００１３】
本発明の情報提供システムにおいては、前記携帯情報端末装置は、前記サーバから送信された提供情報のうちの少なくとも一部をスケジュール管理用データとして保存することが好ましい。
【００１４】
本発明の情報提供システムにおいては、前記サーバは、前記携帯情報端末装置から受けた検索条件に応じた複数の提供情報を検索して前記携帯情報端末装置に送信し、前記携帯情報端末装置は、前記サーバから送信された複数の提供情報のうち、利用者の指示により特定された提供情報を前記サーバに保存させ、前記サーバは、利用者の指示により保存した提供情報に示される時刻の到来を前記携帯情報端末情報に通知することが好ましい。
【００１５】
また、本発明の携帯情報端末装置は、提供情報を提供可能なサーバと通信網を介して相互に通信可能な携帯情報端末装置において、前記提供情報の検索条件を前記サーバに送信し、前記検索条件の送信に応じて前記サーバから送信される複数の提供情報を受信し、前記提供情報は、前記携帯情報端末装置での表示情報と、各提供情報の表示情報と対応付けられ前記携帯情報端末装置において保存されるまでは非表示で処理される属性情報と、からなり、当該携帯情報端末装置は、前記サーバから送信された複数の提供情報とそれぞれ対応する表示情報のうち、利用者の指示により特定された表示情報と対応する属性情報を、保存することを特徴としている。
【００１６】
また、本発明のサーバは、携帯情報端末装置からの要求に応じて提供情報を提供可能なサーバにおいて、前記携帯情報端末装置から前記提供情報の検索条件を受けると、該検索条件に応じた提供情報を検索し、該検索した提供情報を前記携帯情報端末装置に送信し、前記提供情報は、前記携帯情報端末装置での表示情報と、各提供情報の表示情報と対応付けられ前記携帯情報端末装置において保存されるまでは非表示で処理される属性情報と、からなることを特徴としている。
【００１７】
また、本発明の情報提供方法は、携帯情報端末装置と、該携帯情報端末装置と通信網を介して相互に通信可能なサーバと、を備える情報提供システムにおいて、前記サーバから前記携帯情報端末装置に対して提供情報を提供する方法において、前記携帯情報端末装置から前記サーバに対して前記提供情報の検索条件を送信する第１の過程と、前記携帯情報端末装置から前記提供情報の検索条件を受信した前記サーバが、該検索条件に応じた提供情報を検索し、該検索した提供情報を前記携帯情報端末装置に送信する第２の過程と、前記サーバから前記提供情報を受信した前記携帯情報端末装置が、該受信した提供情報のうちの少なくとも一部を当該携帯情報端末装置内に保存する第３の過程と、を備えることを特徴としている。
【００１８】
本発明のプログラムは、コンピュータが実行可能なプログラムにおいて、本発明の携帯情報端末装置の動作をコンピュータに実行させることを特徴としている。
【００１９】
本発明のプログラムは、コンピュータが実行可能なプログラムにおいて、本発明のサーバの動作をコンピュータに実行させることを特徴としている。
【発明の効果】
【００２０】
本発明によれば、携帯情報端末装置は、サーバから送信された提供情報のうちの少なくとも一部を当該携帯情報端末装置内に保存するので、使用者を煩わせることなく、提供情報の少なくとも一部を携帯情報端末装置内に保存することができる。
【発明を実施するための最良の形態】
【００２１】
以下、図面を参照して、本発明に係る実施形態について説明する。
【００２２】
図１は実施形態に係る情報提供システム１００の構成を示すブロック図である。
【００２３】
図１に示すように、実施形態に係る情報提供システム１００は、携帯電話（携帯情報端末装置）１と、基地局及び交換機により構成された携帯電話網（通信網）２と、携帯電話１からＨＴＭＬ形式に準拠したプロトコルで時刻情報の検索結果を閲覧するためのＷＥＢサーバ（サーバ）３と、を備えて構成されている。ＷＥＢサーバ３は、携帯電話網２を介して携帯電話１と相互に無線通信を行う。
【００２４】
図２は本実施形態に係る携帯電話１の構成を一例を示すブロック図である。
【００２５】
図２に示すように、本実施形態に係る携帯電話１は、アンテナ１１Ａにより無線信号を送受信することにより無線回線を使用して通信を行う無線部１１と、例えばＣＰＵからなり、予め第１ＲＯＭ部１７に書き込まれた動作用プログラム（プログラム）に従って動作する制御部１２と、レシーバ／マイク部１６のマイクより入力された音声信号をデジタル信号に変換したり、あるいは受信したデジタル信号をレシーバ／マイク部１６のレシーバへ送出される音声信号に変換する音声信号処理部１３と、各種メッセージ情報やユーザデータを表示するＬＣＤ部（表示部）１４と、利用者が各種指示を行うためのキー入力部１５と、音声信号処理部１３にてデジタル信号から変換された音声信号を出力するレシーバと音声信号を入力するマイクとからなるレシーバ／マイク部１６と、制御部１２の動作用プログラム及び暗証番号が予め書き込まれており、通常の利用者の操作では書き換えが不可能である第１ＲＯＭ部１７と、制御部１２が各種動作を行う際の作業用データの一時格納を行ったり、利用者からの設定情報を一時保存したりするＲＡＭ部１８と、ユーザデータが保存されておりユーザによる操作あるいはプログラムに従った制御部１２の指示により消去可能な第２ＲＯＭ部１９と、を備えて構成されている。
【００２６】
携帯電話１が提供する機能は、例えば、無線通信回線経由の音声通話機能、インターネットと相互接続された無線回線経由でＨＴＭＬ形式のコンテンツを送受信しインターネット上のホームページの閲覧が可能な機能、インターネットと相互接続された無線回線経由にて電子メールが送受信可能な機能、ＪＡＶＡにより記述されたプログラムをダウンロードし実行するＪＡＶＡ動作環境を備えた機能、の４種類である。
【００２７】
携帯電話１の第１ＲＯＭ部１７には、ＷＥＢサーバ３からＨＴＴＰプロトコルにより受信したＨＴＭＬ形式のコンテンツを解析し、ＨＴＭＬ形式で記述されたタグにより指示された各種動作を実行するためのプログラムが記憶されている。
【００２８】
図３は実施形態に係るＷＥＢサーバ３の構成の一例を示すブロック図である。
【００２９】
図３に示すように、ＷＥＢサーバ３は、検索対象の情報を記憶保持したデータベース部３１と、携帯電話１から送出された検索要求（検索条件を含む）に対してデータベース部３１より該当する時刻情報を抽出する検索エンジン処理部３２と、検索エンジン部３２により抽出された時刻情報を使って表示コンテンツを生成するコンテンツ処理部３３と、を備えている。
【００３０】
なお、ＷＥＢサーバ３は、例えば、ＣＰＵと、このＣＰＵの動作用プログラム（プログラム）を記憶したＲＯＭと、ＣＰＵの作業領域などとして機能するＲＡＭと、を備えて構成され、ＣＰＵが動作用プログラムに従って動作することにより、検索エンジン部３２及びコンテンツ処理部３３として機能する。
【００３１】
次に、動作を説明する。
【００３２】
先ず、携帯電話１からの要求に応じてＷＥＢサーバ３が時刻情報を検索し、検索した時刻情報を携帯電話１のスケジューラに登録する方法を説明する。
【００３３】
図４は携帯電話１、携帯電話網２及びＷＥＢサーバ３の間での信号の流れを示す図である。また、図５乃至図１０は、携帯電話１における操作手順を説明するための図であり、携帯電話１のＬＣＤ部１４に表示される一連の表示内容を示す。
【００３４】
先ず、携帯電話１の利用者が、該携帯電話１を使用するため、キー入力部１５が有する電源キーを操作し、電源をオンにする（以上、ステップＳ１）。
【００３５】
次に、携帯電話１は、携帯電話網２に対して位置登録要求を送出する（以上、ステップＳ２）。
【００３６】
携帯電話１からの位置登録要求を受けた携帯電話網２は、該携帯電話１に対して、位置登録応答を送出する。これにより、携帯電話網２に対して携帯電話１の位置登録が行われたことになり、携帯電話１と携帯電話網２とが接続可能となる（以上、ステップＳ３）。
【００３７】
次に、携帯電話１は、携帯電話網２と回線を接続するため、携帯電話網２に対して発呼要求を送出する（以上、ステップＳ４）。
【００３８】
携帯電話１からの発呼要求を受けた携帯電話網２は、該携帯電話１に対して、発呼応答を送出する。これにより、携帯電話１と携帯電話網２とが接続され、互いにデータの送受信が可能となる（以上、ステップＳ５）。
【００３９】
なお、ステップＳ２〜Ｓ５までの処理は、携帯電話１の電源がオンとなると、使用者の操作を要さずに自動的に行われる。
【００４０】
続いて、携帯電話１の使用者が、ＷＥＢサーバ３上の時刻検索システムを使って時刻情報を検索するための所定の操作をキー入力部１５に対して行う。すると、携帯電話１は、ＷＥＢサーバ３に対してサーバ接続要求を送出する（以上、ステップＳ６）。
【００４１】
携帯電話１からのサーバ接続要求を受けたＷＥＢサーバ３は、該携帯電話１に対してサーバ接続応答を送出する（以上、ステップＳ７）。
【００４２】
これからが利用者が携帯電話１を使って具体的に時刻情報を検索する手順となる。
【００４３】
この時（ステップＳ７以降の状態では）、携帯電話１とＷＥＢサーバ３とが接続され、時刻情報の検索ページを携帯電話１のブラウザ上で閲覧できる状態である。また、ここでは、検索条件として、移動日、移動区間及び到着予定時刻を入力することにより、出発時刻を逆検索することが可能なホームページを閲覧するものとする。
【００４４】
利用者は、携帯電話１のブラウザ上において、検索条件の一部、すなわち、移動日と、出発あるいは到着予定時刻と、を入力する。この時の具体的な画面イメージを図５（時刻指定画面）に示す。図５に示すように、移動日は１２月１０日、時刻は１２：００を入力しているが、その下行において「出発時刻を検索」と指定している。このため、入力した時刻の１２：００は到着時刻を示していることとなる。これが逆に「到着時刻を検索」と指定してしたならば、１２：００は出発時刻を示すこととなる（以上、ステップＳ８）。
【００４５】
更に、携帯電話１上で、残りの検索条件として、移動区間を入力する。この時の具体的な画面イメージを図６（移動区間指定画面）に示す。出発場所と到着場所を入力する必要があるため、例えば、それぞれ「Ａタワー」「Ｂ駅」と入力している（以上、ステップＳ９）。
【００４６】
出発場所と到着場所が確定されると、ステップＳ８及びステップＳ９で入力された、移動日、到着時刻、出発場所及び到着場所の情報、すなわち、検索条件を、携帯電話１よりＷＥＢサーバ３へ送出する（以上、ステップＳ１０）。
【００４７】
ＷＥＢサーバ３においては、検索エンジン処理部３２が、このように携帯電話１から送られた情報（検索条件）に応じて、複数の経路情報候補をデータベース部３１から検索する。ここでは、例えば、３つの経路を要求することが携帯電話１において選択されていたものとし、「出発場所：Ａタワー、経由地：Ｃ駅、到着場所：Ｂ駅、出発時刻：１１：００」、「出発場所：Ａタワー、経由地：Ｄ駅、到着場所：Ｂ駅、出発時刻：１０：５０」、及び、「出発場所：Ａタワー、経由地：Ｅ駅、到着場所：Ｂ駅、出発時刻：１０：４５」という出発時刻が各々異なる３つの経路情報（表示情報：提供情報を構成する）が検索により抽出されたものとする（以上、ステップＳ１１）。
【００４８】
先のステップＳ１１にて検索された３つの経路情報候補は、ＷＥＢサーバ３のコンテンツ処理部３３が、携帯電話１内のスケジューラ登録用に定義されたＨＴＭＬ要素情報に変換する。すなわち、検索された経路情報を、携帯電話１内のスケジューラ登録用のフォーマットの情報に変換する。具体的にはそれぞれ「日付：１２月１０日、時刻１１：００、メモ：Ａタワー出発」、「日付：１２月１０日、時刻１０：５０、メモ：Ａタワー出発」、及び、「日付：１２月１０日、時刻１０：４０、メモ：Ａタワー出発」というＨＴＭＬ要素情報を生成し、当該ＨＴＭＬ要素情報をスケジュール登録用属性情報（属性情報：表示情報とともに提供情報を構成する）に変換する（以上、ステップＳ１２）。
【００４９】
また、コンテンツ処理部３３は、ステップＳ１２とは別に、ステップＳ１１で抽出された経路情報に基づき、携帯電話１での画面表示用の情報である画面表示用情報をＨＴＭＬ形式で生成する。つまり、各経路情報（表示情報）は、携帯電話機１側のブラウザ上に表示される情報である。更に、コンテンツ処理部３３は、このように生成した画面表示用情報と、ステップＳ１２で生成したスケジュール登録用属性情報と、を「検索結果画面」として合成する（以上、ステップＳ１３）。
【００５０】
ＷＥＢサーバ３は、先のステップＳ１３にて生成した「検索結果画面」を、携帯電話１に送出する（ステップＳ１４）。
【００５１】
携帯電話１では、ＷＥＢサーバ３から「検索結果画面」を受信すると、該受信した検索結果画面をブラウザ上において表示する。検索結果画面は、具体的には、例えば、図７及び図８に示すような画面である（以上、ステップＳ１５）。
【００５２】
なお、図７及び図８に示す検索結果画面は１ページで構成されているが、これらは利用者の操作により縦方向にスクロールして２画面で表示する。
【００５３】
図７及び図８に示す検索結果画面においては、利用者は、キー入力部１５に対する入力により、経路情報の候補である「○経路１」、「○経路２」、及び、「○経路３」の何れか１つを選択し、スケジューラに登録する情報として特定する指示を行うことが可能である。また、経路情報の候補である「○経路１」、「○経路２」、及び、「○経路３」のそれぞれに対しては、対応したスケジュール登録用属性情報のリンクが張られている。すなわち、「○経路１」には「日付：１２月１０日、時刻１１：００、メモ：Ａタワー出発」という経路１と対応するスケジュール登録用属性情報が、「○経路２」には「日付：１２月１０日、時刻１０：５０、メモ：Ａタワー出発」という経路２と対応するスケジュール登録用属性情報が、「○経路３」には「日付：１２月１０日、時刻１０：４０、メモ：Ａタワー出発」という経路３と対応するスケジュール登録用属性情報が、それぞれ内部的にリンクされている。なお、スケジュール登録用属性情報は、何れも、携帯電話１のスケジューラに登録されるまでは、携帯電話１において非表示で処理される。
【００５４】
例えば、利用者は、「経路３」のスケジュール登録用属性情報を携帯電話１のスケジューラに登録するため、「経路３」を選択して確定する。すると、携帯電話１の画面において、図９（登録確認画面）に示すように、利用者に対して「この情報をスケジューラに登録しますか？（Ｙ／Ｎ）」というメッセージが表示され、利用者への確認が促される（以上、ステップＳ１６）。
【００５５】
携帯電話１のスケジューラに経路３の属性情報をスケジュール管理用データとして登録するために、利用者は「Ｙ」を選択する。すると、「日付：１２月１０日、時刻１０：４０、メモ：Ａタワー出発」という経路３と対応するスケジュール登録用属性情報が携帯電話１のスケジューラに登録される。登録が完了すると図１０（登録完了画面）に示すように、「登録完了」とのメッセージが画面に表示される（以上、ステップＳ１７）。
【００５６】
なお、携帯電話１に登録されたスケジュール登録用属性情報は、携帯電話１のスケジューラを起動し、該当する日付のスケジュールを参照することにより、携帯電話機１の画面に表示され、使用者はスケジュールの内容を確認することができる。
【００５７】
以上のような実施形態によれば、ＷＥＢサーバ３で抽出された時刻情報の検索結果を携帯電話１において閲覧し、その検索結果を即座に携帯電話１のスケジューラに登録することが可能である。その理由を以下に説明する。
【００５８】
携帯電話１は時刻検索システムを使い時刻を検索するため、ＷＥＢサーバ３と接続する。この時、携帯電話１のブラウザ上で、移動日、移動区間及び到着予定時刻を入力して出発時刻を逆検索するホームページが閲覧できる状態である。
【００５９】
利用者は、携帯電話１のブラウザ上において、時刻情報検索のための情報、すなわち、例えば、移動日、移動区間及び到着予定時刻を入力する。すると、これら入力された情報を、携帯電話１からＷＥＢサーバ３に送出する。ＷＥＢサーバ３においては、この情報により複数の経路情報候補を検索する。その後、検索された経路情報候補は、ＷＥＢサーバ３において「検索結果画面」として生成される。この検索結果画面は、携帯電話１内のスケジューラ登録用に定義されたスケジュール登録用ＨＴＭＬ要素情報と画面表示用の情報とがＨＴＭＬ形式で構成される。
【００６０】
そして、ＷＥＢサーバ３は、生成した「検索結果画面」を、携帯電話機１から送出された情報に対する応答として携帯電話１へ送出する。
【００６１】
利用者は、携帯電話１のブラウザ上で表示された「検索結果画面」より登録したい検索結果を選択することにより、該検索結果が携帯電話１内のスケジューラに登録される。
【００６２】
これにより、利用者は携帯電話１を使ってＷＥＢサーバ３上で時刻情報を検索後、その検索結果を選択することにより、携帯電話１内のスケジューラに即時に登録することが可能であり、利便性が向上する。
【００６３】
なお、上記の実施形態では、携帯情報端末装置が携帯電話１である例を説明したが、本発明はこの例に限らず、携帯情報端末装置全般に対して適用可能である。よって、携帯情報端末装置は、例えば、ＰＨＳ（Ｐｅｒｓｏｎａｌ  Ｈａｎｄｙ  Ｐｈｏｎｅ  Ｓｙｓｔｅｍ）やＰＤＡ（Ｐｅｒｓｏｎａｌ  Ｄｉｇｉｔａｌ  Ａｓｓｉｓｔａｎｔ）であっても良い。
【００６４】
また、携帯電話（携帯情報端末装置）１は、ＷＥＢサーバ（サーバ）３から送信された複数の提供情報のうち、利用者の指示により特定された提供情報をＷＥＢサーバ３に保存させ、ＷＥＢサーバ３は、利用者の指示により保存した提供情報に示される時刻の到来を携帯電話１に対して例えば電子メールの送信を行うことなどにより通知することも好ましい。これにより、携帯電話１の使用者が、スケジュールの時刻の到来をうっかりと忘れてしまうことを防止できる。
【図面の簡単な説明】
【００６５】
【図１】実施形態に係る情報提供システムの構成を示すブロック図である。
【図２】実施形態に係る携帯電話の構成を一例を示すブロック図である。
【図３】実施形態に係るＷＥＢサーバの構成の一例を示すブロック図である。
【図４】携帯電話、携帯電話網及びＷＥＢサーバの間での信号の流れを示す図である。
【図５】携帯電話における操作手順を説明するための図であり、携帯電話に表示される一連の表示内容を示す。
【図６】携帯電話における操作手順を説明するための図であり、携帯電話に表示される一連の表示内容を示す。
【図７】携帯電話における操作手順を説明するための図であり、携帯電話に表示される一連の表示内容を示す。
【図８】携帯電話における操作手順を説明するための図であり、携帯電話に表示される一連の表示内容を示す。
【図９】携帯電話における操作手順を説明するための図であり、携帯電話に表示される一連の表示内容を示す。
【図１０】携帯電話における操作手順を説明するための図であり、携帯電話に表示される一連の表示内容を示す。
【符号の説明】
【００６６】
１    携帯電話（携帯情報端末装置）
２    携帯電話網（通信網）
３    ＷＥＢサーバ（サーバ）
１００  情報提供システム
【図１】
2008250768.tif 000003
【図２】
2008250768.tif 000004
【図３】
2008250768.tif 000005
【図４】
2008250768.tif 000006
【図５】
2008250768.tif 000007
【図６】
2008250768.tif 000008
【図７】
2008250768.tif 000009
【図８】
2008250768.tif 000010
【図９】
2008250768.tif 000011
【図１０】
2008250768.tif 000012